(57)【要約】【課題】カバーが本体から落下することのない固定構造及び給湯装置を提供する。【解決手段】  先端側ネジ部３１ａと基端側ネジ部３１ｃとの間にネジ穴より径が小さく、その深さよりも長い溝部が形成された軸部を有するネジ３１を用いてカバーを本体に固定する。ここで、ブラケット２１ｅ上の２つのネジ穴２１ｆ，２１ｇの離間距離Ｆ、Ｆ’を、カバー２２がブラケット２１ｅ（本体２１）に対して傾斜可能な角度θ、θ’とネジ３１の基端側ネジ部３１ｃ及び溝部３１ｂの長さの和Ａ、Ａ’に対してＥ＋Ｈ’＋Ｆｔａｎθ、Ｅ’＋Ｈ＋Ｆ’ｔａｎθ’＜Ａ’と定める。これにより、ネジ３１を軸にカバー２２がブラケット２１ｅ（本体）に対して傾斜しても、カバー２２の前面２２ａの開口２２ｆ近傍はネジ穴２１ｆから距離Ａ、Ａ’以上離間することはないため、先端側ネジ部３１ａがネジ穴２１ｆに入り、引き抜かれることはなく、カバー２２は常時ネジ３１に掛止される。【選択図】図３
2015075123.tif 000002
【特許請求の範囲】
【請求項１】
ネジを用いて被固定物を固定対象に固定する固定構造であって、
前記被固定物は、第１開口が設けられた第１面と第２開口が設けられた第２面とを有し、
前記第１面及び前記第２面は互いに交差し、
前記固定対象には、前記第１開口に対向する第１ネジ穴と前記第２開口に対向する第２ネジ穴とが設けられ、
前記第１開口を介して前記ネジを前記第１ネジ穴に螺入し、前記第２開口を介して前記ネジを前記第２ネジ穴に螺入することを特徴とする、固定構造。
【請求項２】
前記ネジは、先端側ネジ部と基端側ネジ部との間にネジ穴より径が小さく、その深さよりも長い溝部が形成された軸部を有する脱落防止ネジであることを特徴とする、請求項１に記載の固定構造。
【請求項３】
前記ネジの前記溝部が前記第１ネジ穴又は前記第２ネジ穴に係合した際に前記第１のネジ又は前記第２のネジが前記第１のネジ穴の中心軸又は前記第２ネジ穴の中心軸に対して傾斜可能な最大角度をθとするとき、
前記第１のネジ穴の前記固定対象の表面上において前記第１面がθだけ傾いた場合の前記第２開口の前記第２のネジ穴からの乖離長さＬ１と、前記第２のネジ穴の前記固定対象の表面上において前記第２面がθだけ傾いた場合の前記第１開口の前記第１のネジ穴からの乖離長さＬ２との、いずれもが、前記ネジの前記先端端側ネジ部と前記溝部の長さの和（Ａ、Ａ’）よりも短いこと（Ｌ１＜Ａ、Ｌ２＜Ａ’）を特徴とする、請求項２に記載の固定構造。
【請求項４】
前記第１面及び前記第２面に前記第１開口及び前記第２開口がそれぞれ複数設けられ、
前記固定対象には、前記複数の第１開口及び第２開口に対応して、複数の第１ネジ穴及び第２ネジ穴が設けられることを特徴とする、請求項１〜３に記載の固定構造。
【請求項５】
給湯装置本体と、
前記固定対象であり、前記給湯装置本体から延設される配管を覆う箱体と、
前記被固定物であり、前記箱体の少なくとも一部に設けられた開口をふさぐカバーと、
を備え、請求項１〜４のいずれか１項に記載の固定構造により、前記カバーが前記箱体に固定されることを特徴とする、給湯装置。
【請求項６】
前記箱体は、前記給湯装置本体の下に配置され、
前記給湯装置本体の下面の端部に前記箱体の上面との間に空隙を有する箇所があり、
前記固定対象である前記箱体は、前記空隙に対向する箇所に前記第１開口又は前記第２開口を有することを特徴とする、請求項５に記載の給湯装置。
【発明の詳細な説明】
【技術分野】
【０００１】
本発明は、固定構造及び給湯装置に係り、更に詳しくは、被固定物を固定対象に固定する固定構造及び該固定構造によりカバーが給湯装置本体から延設される配管を覆う箱体に固定される給湯装置に関する。
【背景技術】
【０００２】
給湯装置本体の下端から延設される複数の配管類を隠すために、給湯装置の下方に化粧カバー（箱体）が設けられる。化粧カバーは、例えば、化粧カバーの両側面とこれらを固定する複数の梁とから構成されるケーシングと、ケーシングの前面を覆うカバーと、から構成される。給湯装置が特に屋外に設置される場合、風等による振動を継続的に受けることでカバーが化粧カバー（ケーシング）から外れ、落下する危険がある。
【０００３】
そこで、例えば特許文献１に開示される化粧カバーでは、ケーシングの上部に架設された梁（に固設されたブラケット）に上向きに突片が設けられ、その突片をカバーの上部に設けられたスリットに差し入れることでカバーをケーシングに掛止する。また、ケーシングの下部に架設された梁（に固設されたブラケット）にはネジ穴が設けられている。そこで、さらに、そのネジ穴にカバーの下部に設けられた開口を介してネジを螺入することで、カバーがケーシングに固定される。
【０００４】
しかし、上述の構成の固定構造では、給湯装置の配管カバーを固定する場合、梁に上向きに設けられた突片が給湯装置全体の意匠的美観を害してしまう。また、一度化粧カバーを組み立ててその上に給湯装置本体を配置すると、カバーが給湯装置本体と干渉するため、ネジによる固定が外れても、化粧カバー（ケーシング）からカバーが外れて落下することはない。しかし、例えば配管類の整備等のためにカバーを外す必要が生じても、給湯装置本体を退避しない限り外すことができない場合も考えられ、不便を強いられてしまう。また、配管類の整備等を実施する工事業者は、ネジを外してもカバーを外すことができず、途惑ってしまい不必要に工事時間を費やしてしまうことも考えられる。
【０００５】
上記の問題に対応するため、突片を短いもの（例えばカバーの厚みと同じ）とすることが考えられる。しかし、このようにすると、風等による振動によってカバーが突片を外れてしまう。ネジとして脱落防止ネジを用いても、ネジが中心軸方向にネジ自身の長さを超えて移動してしまうことがあり、カバー全体が落下してしまう。
【０００６】
また、例えば特許文献２に開示される固定構造は、カバーに固定構造を設けずに取付具を用いるものであり、取付具の一端を固定対象に掛止し他端をネジによって係止するものである。
【０００７】
しかし、上述の構成の固定構造では、掛止部分を安定させるための構造を有さず、風等による振動の小さな取付具に使用される構造であって風等による振動の大きなカバーに使用できるものではない。
【先行技術文献】
【特許文献】
【０００８】
【特許文献１】特開２００６−３００２７９号公報
【特許文献２】特開平０８−０４２７５４号公報
【発明の概要】
【発明が解決しようとする課題】
【０００９】
本発明は、カバーの固定を容易に外すことができるとともにカバーが化粧カバー（箱体）から落下することがない固定構造及びこの固定構造を利用して安全に使用することのできる給湯装置を提供することを課題とする。
【課題を解決するための手段】
【００１０】
本発明は、ネジを用いて被固定物を固定対象に固定する固定構造であって、前記被固定物は、第１開口が設けられた第１面と第２開口が設けられた第２面とを有し、前記第１面及び前記第２面は互いに交差し、前記固定対象には、前記第１開口に対向する第１ネジ穴と前記第２開口に対向する第２ネジ穴とが設けられ、前記第１開口を介して前記ネジを前記第１ネジ穴に螺入し、前記第２開口を介して前記ネジを前記第２ネジ穴に螺入することを特徴とする、固定構造である。
【００１１】
これによれば、２本のネジによって固定されるので、そのうち１本のネジが外れてしまっても、被固定物が固定対象から離脱することがない。
【００１２】
また、本発明の固定構造は、前記ネジは、先端側ネジ部と基端側ネジ部との間にネジ穴より径が小さく、その深さよりも長い溝部が形成された軸部を有する脱落防止ネジであることを特徴とする。
【００１３】
これによれば、ネジが外れてしまう蓋然性が低くなり、安定した固定が実現される。
【００１４】
また、本発明の固定構造は、前記ネジの前記溝部が前記第１ネジ穴又は前記第２ネジ穴に係合した際に前記第１のネジ又は前記第２のネジが前記第１のネジ穴の中心軸又は前記第２ネジ穴の中心軸に対して傾斜可能な最大角度をθとするとき、前記第１のネジ穴の前記固定対象の表面上において前記第１面がθだけ傾いた場合の前記第２開口の前記第２のネジ穴からの乖離長さＬ１と、前記第２のネジ穴の前記固定対象の表面上において前記第２面がθだけ傾いた場合の前記第１開口の前記第１のネジ穴からの乖離長さＬ２との、いずれもが、前記ネジの前記先端端側ネジ部と前記溝部の長さの和（Ａ、Ａ’）よりも短いこと（Ｌ１＜Ａ、Ｌ２＜Ａ’）を特徴とする。
【００１５】
これによれば、第１ネジ穴に入れられたネジの基端側ネジ部が抜け、その溝部が第１ネジ穴に係合することでそのネジを軸に被固定物が固定対象に対して傾斜しても、第２面の開口近傍は第２ネジ穴からその中心軸に平行な方向に基端側ネジ部と溝部の長さの和（Ａ）以上の距離離間することはない。それにより、第２ネジ穴に入れられたネジの先端側ネジ部が第２ネジ穴に入り、引き抜かれることなく、被固定物が固定対象に固定される。
【００１６】
また、本発明の固定構造は、前記第１面及び前記第２面に前記第１開口及び前記第２開口がそれぞれ複数設けられ、前記固定対象には、前記複数の第１開口及び第２開口に対応して、複数の第１ネジ穴及び第２ネジ穴が設けられることを特徴とする。
【００１７】
これによれば、上記の固定構造を複数有することができ、より安定した固定が実現される。
【００１８】
また、本発明は、給湯装置本体と、前記固定対象であり、前記給湯装置本体から延設される配管を覆う箱体と、前記被固定物であり、前記箱体の少なくとも一部に設けられた開口をふさぐカバーとを備え、上記の固定構造により、前記カバーが前記箱体に固定されることを特徴とする、給湯装置である。
【００１９】
これによれば、カバーが箱体から落下することがなく、安全に使用することができる。
【００２０】
また、本発明の給湯装置は、前記箱体は、前記給湯装置本体の下に配置され、前記給湯装置本体の下面の端部に前記箱体の上面との間に空隙を有する箇所があり、前記固定対象である前記箱体は、前記空隙に対向する箇所に前記第１開口又は前記第２開口を有することを特徴とする。
【００２１】
これによれば、ネジの頭部を給湯装置本体と箱体の間に配することで、給湯装置本体を移動せずにネジの操作を行うことができる。また、ネジの頭部によって意匠的外観が損なわれることが少ない。
【発明の効果】
【００２２】
本発明の固定構造によると、被固定物の固定対象への固定を容易に外すことができるとともに、第１ネジ穴に入れられたネジの基端側ネジ部が抜け、その溝部が第１ネジ穴に係合することでそのネジを軸に被固定物が固定対象に対して傾斜しても、第２ネジ穴に入れられたネジの先端側ネジ部は第２ネジ穴から引き抜かれることがないため、被固定物が固定対象から外れ、落下することがなく、安全に使用することが可能となる。
【００２３】
また、本発明の給湯装置によると、本発明の固定構造を利用することでカバーが箱体から落下することがなく、安全に使用することが可能となる。
【図面の簡単な説明】
【００２４】
【図１】図１（Ａ）及び（Ｂ）は、それぞれ、一実施形態に係る給湯装置の全体構成を示す正面図及び側面図である。
【図２】図２は、化粧カバーを構成するケーシング（本体）とカバーの概略構成を示す分解斜視図である。
【図３】図３は、カバーをケーシング（本体）に設けられた梁（ブラケット）に固定する固定構造を構成するネジ及びネジ穴を示す断面図である。
【図４】図４（Ａ）及び（Ｂ）は、それぞれ、一実施形態に係る給湯装置の全体構成を示す正面図及び拡大図である。
【発明を実施するための形態】
【００２５】
以下、本発明の一実施形態を、図１〜図４を用いて説明する。
【００２６】
図１に、本実施形態に係る給湯装置１を示す。給湯装置１は、給湯装置本体１０と、化粧カバー２０と、を備える。
【００２７】
給湯装置本体１０は、例えば、家屋外の地面Ｆ上に脚部２３を介して配置され、その筐体１１の上面がＬ字状の固定具１３を用いて家屋等の壁面Ｗに固定される。ここで、給湯装置本体１０の下端から湯水等を屋内に供給するための配管類１５（図１において点線を用いて示す）が、壁面Ｗを介して屋内に延設されている。
【００２８】
図２に、化粧カバー２０の分解斜視図を与える。化粧カバー２０は、ケーシング（本体）２１と、カバー２２と、から構成される。図中、ケーシング（本体）２１とカバー２２は、基準軸Ｌについて分解して示されている。
【００２９】
本体２１は、平板状の２つの側面２１ｄと、両端に取付片が設けられた３つの梁２１ａ，２１ｃ，２１ｇと、から構成される。ここで、梁２１ａには、２つのブラケット２１ｅが固設されている。ブラケット２１ｅは、２つのネジ穴２１ｆ，２１ｇがそれぞれ形成された２つの面（ＸＺ面及びＸＹ面）を有し、それぞれの面を−Ｙ方向及び＋Ｚ方向に向けて梁２１ａの上端に固定されている。なお、ネジ穴２１ｆ，２１ｇは、一方が第１のネジ穴であり、他方が第２のネジ穴である。第１のネジ穴と第２のネジ穴とに機能上の相違はなく、ネジ穴２１ｆ，２１ｇのいずれが第１のネジ穴であっても同等である。また、ブラケット２１ｅは梁２１ａの＋Ｚ端を−Ｙ方向、さらに−Ｚ方向に屈曲することで梁２１ａと一体的に形成してもよいし、別部材を梁２１ａに溶接等により固定することで形成してもよい。
【００３０】
２つの側面２１ｄはＸ軸方向の一側と他側にそれぞれの内面を対向して配置され、それらの前部上側（−Ｙ，＋Ｚ側）の端部が梁２１ａにより、それらの前部下側（−Ｙ，−Ｚ側）の端部が梁２１ｃにより、それらの後部下側（＋Ｙ，−Ｚ側）の端部が梁２１ｇにより、連結されている。梁２１ａはブラケット２１ｅが固設された一面（ＸＺ面）を前方（−Ｙ方向）に向けて、梁２１ｃ及び梁２１ｇは一面をそれぞれ前方（−Ｙ方向）及び後方（＋Ｙ方向）に向けて、取付片を側面２１ｄの内面に当接し、ネジ、ビス等の固定具を用いて或いは溶接により側面２１ｄに固定されている。なお、梁の数、形状、材質等及び側面２１ｄへの取付方法は、側面２１ｄを支持するのに十分な強度が得られるよう適当に定めることとする。
【００３１】
本体２１は、図１に示すように、給湯装置本体１０の下（−Ｚ側）に、２つの側面２１ｄの外面が給湯装置本体１０の筐体１１の側面と略面一に、配置される。これにより、給湯装置本体１０の下端から延びる配管類１５が、２つの側面２１ｄの間を上下（Ｚ軸方向）及び前後（Ｙ軸方向）に通って、屋内に向かって配設されることとなる。
【００３２】
カバー２２は、前面２２ａと、上面２２ｂ及び下面２２ｃと、フランジ２２ｄと、を含んで形成されている。前面２２ａは、−Ｙ方向に凸状に形成されている。前面２２ａの上端（＋Ｚ端）近傍には、後述するように固定具（ネジ３１）を通すための２つの開口２２ｆが設けられている。上面２２ｂ及び下面２２ｃは、等脚台形状の平板であり、それぞれ前面２２ａの上端及び下端に固設されている。上面２２ｂには、後述するように固定具（ネジ３１）を通すための２つの開口２２ｇが設けられている。フランジ２２ｄは、前面２２ａの±Ｘ端部を＋Ｙ方向に屈曲して形成されている。その下端は、カバー２２を本体２１に固定した際に梁２１ｃと干渉しないように、例えば斜めに形成されている。
【００３３】
カバー２２を本体２１に固定して本体２１（側面２１ｄ）の前面の開口を塞いで化粧カバー２０を形成することで、給湯装置本体１０の下端から延びる配管類１５が隠される。
【００３４】
カバー２２を本体２１に固定するための固定構造３０について説明する。
【００３５】
図３に、カバー２２が本体２１に固定された一状態において、固定構造３０を構成するブラケット２１ｅとネジ３１の構成を示す断面図を与える。なお、同様の構成の為、図中、２つのブラケット２１ｅの一方及びこれに設けられたネジ穴２１ｆ，２１ｇに入れられたネジ３１のみを示した。
【００３６】
ブラケット２１ｅは、先述の通り２つの面（ＸＺ面及びＸＹ面）を有し、それらの一端が接続することでＹＺ面内においてＬ字状の断面を形成する。ネジ穴２１ｆは、カバー２２の前面２２ａに対向するＸＺ面に設けられている。その配設位置は、ＸＺ面とＸＹ面との接続点から下方（−Ｚ方向）に距離δの位置である。ネジ穴２１ｇは、カバー２２の上面２２ｂに対向するＸＹ面に設けられている。その配設位置は、ＸＺ面とＸＹ面との接続点から距離γの位置である。なお、ネジ穴２１ｆ，２１ｇのＸ軸方向に関する配設位置は等しいとする。また、ネジ穴２１ｆ，２１ｇの径及び深さはそれぞれＤ及びＨである。
【００３７】
カバー２２の開口２２ｆ，２２ｇは、ブラケット２１ｅに設けられたネジ穴２１ｆ，２１ｇに対向する前面２２ａ及び上面２２ｂ上の位置に設けられている。すなわち、開口２２ｆの配設位置は、前面２２ａ及び上面２２ｂの接続点から下方（−Ｚ方向）に距離δの前面２２ａ上の位置である。開口２２ｇの配設位置は、前面２２ａ及び上面２２ｂの接続点から＋Ｙ方向に距離γの上面２２ｂ上の位置である。なお、開口２２ｆ，２２ｇの径は、ネジ３１のネジ部が挿入可能な大きさである。
【００３８】
ネジ３１は、頭部と軸部を有し、その軸部には２つのネジ部、すなわち先端側ネジ部３１ａ及び基端側ネジ部３１ｃと、これらの間の溝部３１ｂと、が形成されている。ネジ３１は、脱落防止ネジである。先端側ネジ部３１ａと基端側ネジ部３１ｃには、ネジ穴２１ｆ，２１ｇに螺入可能なネジ溝が形成されている。溝部３１ｂは、その径ｄがネジ穴２１ｆ，２１ｇの径Ｄより小さく（ｄ＜Ｄ）、その長さｈがネジ穴２１ｆ，２１ｇの深さＨより長く（ｈ＞Ｈ）形成されている。
【００３９】
ネジ３１の頭部は、ネジ部に対して十分大きな径を有し、工具を用いることなく手指を用いて回すことでネジ部をネジ穴に螺入することができる。また、工具（プラスドライバ）の先端が係合可能な凹部が形成され、工具を用いてネジ穴に螺入することもできる。
【００４０】
ネジ３１を用いてカバー２２をケーシング（本体）２１に固定する際、最初に、本体２１の前面側でカバー２２の±Ｘ端を両手で保持して、カバー２２の上面２２ｂを梁２１ａの２つのブラケット２１ｅ上に掛止する。次に、カバー２２を前後（Ｙ軸方向）及び左右（Ｘ軸方向）にずらして、前面２２ａの開口２２ｆをネジ孔２１ｆ上に、上面２２ｂの開口２２ｇをネジ孔２１ｇ上に位置決めする。最後に、この状態において、ネジ３１を、開口２２ｆを介してネジ穴２１ｆに、開口２２ｇを介してネジ穴２１ｇにそれぞれ入れる。ここで、先端側ネジ部３１ａ及び基端側ネジ部３１ｃの全てをネジ穴２１ｆ，２１ｇに螺入する。これにより、カバー２２が本体２１に固定される。
【００４１】
なお、ネジ３１（先端側ネジ部３１ａ及び基端側ネジ部３１ｃの全て）をネジ穴２１ｆ，２１ｇから外すことで、容易に、カバー２２を本体２１から取り外すことができる。
【００４２】
上述の構成のネジ３１において、先端側ネジ部３１ａは、ネジ全体がネジ穴２１ｆ，２１ｇから引き抜かれないためのストッパの役割を果たす。カバー２２が継続的に振動を受けるなどにより、基端側ネジ部３１ｃがネジ穴２１ｆ，２１ｇから引き抜かれ得る。
【００４３】
しかし、先述の通り先端側ネジ部３１ａと基端側ネジ部３１ｃとの間に溝部３１ｂが形成されているため、図３に示すネジ穴２１ｇに入れられたネジ３１のように、基端側ネジ部３１ｃがネジ穴２１ｇから引き抜かれると、溝部３１ｂがネジ穴２１ｇに係合してネジ３１の中心軸がネジ穴２１ｇの中心軸からずれ、ネジ３１がネジ穴２１ｇの縁部に係止される。それにより、先端側ネジ部３１ａがストッパとして機能する。そして、ネジ全体がネジ穴２１ｇから引き抜かれることは、ネジ３１が正確にネジ穴２１ｇの中心軸に沿った方向に移動する場合に限定される。
【００４４】
図３に示すように、基端側ネジ部３１ｃがネジ穴２１ｇから引き抜かれ、溝部３１ｂがネジ穴２１ｇに係合すると、そのネジ３１を軸にカバー２２（上面２２ｂ）がブラケット２１ｅ（ＸＹ面）に対して傾斜可能となる。その傾斜可能な角度θは、溝部３１ｂの径ｄ及び長さｈと、ネジ穴２１ｇの径Ｄ及び深さＨと、の関係から決まる。なお、角度θは、厳密には、開口２２ｇの径及びカバー２２（上面２２ｂ）の厚みにも関係するが、簡単のため、ここではカバー２２の厚みはゼロとして考える。この時ブラケットのＸＺ面（ネジ穴２１ｆ）から−Ｙ方向（ネジ穴２１ｆの中心軸に沿った方向）に寸法Ｅほどずれが生じる（図３におけるずれ量Ｅ）。このずれ量Ｅは、前記ｄ、ｈ、Ｄ、Ｈ以外にもγの関係から決まる。例えば角度θが小さいがずれ量Ｅが大きい、角度θが大きいがずれ量Ｅが小さい等の組み合わせを持つ。
【００４５】
カバー２２の上面２２ｂがブラケット２１ｅのＸＹ面に対して傾斜すると、それに伴ってカバー２２の前面２２ａがブラケットのＸＺ面（ネジ穴２１ｆ）から−Ｙ方向（ネジ穴２１ｆの中心軸に沿った方向）に離間する。その離間距離のうちブラケット２１ｅに設けられたネジ穴２１ｆに対して垂直状態のネジ３１の頭部（点Ｇ）にぶつかる可能性のある点Ｉまでの距離である離間距離Ｌ１の最大値は、カバー２２（上面２２ｂ）の傾斜の角度θを用いてＥ＋Ｈ’＋Ｆｔａｎθで求められる（Ｆ＝δ＋ネジ３１の頭部の半径）。例えばＦが小さい場合には、角度θが小さいがずれ量Ｅが大きい方が離間距離Ｌ１が最大になりやすく、逆にＦが大きい場合には、角度θが大きいがずれ量Ｅが小さい方が離間距離Ｌ１が最大になりやすい。なお、上記（Ｅ＋Ｈ’＋Ｆｔａｎθ≧Ｌ１）は、２つのネジの螺入される面（ＸＹ面及びＸＺ面）のなす角度が９０度であることを前提としている。Ｌ１の最大値は、２つのネジの螺入される面のなす角度、γの値、その他の状況で変動し得るが、実際の形状に基づいて定まるものであり、所定の値より小さくなるように形状を設計することができる。
【００４６】
カバー２２が傾斜し、前面２２ａの開口２２ｆより下端の点Ｉがネジ３１の点Ｇにぶつかり、ネジ３１の頭部が−Ｙ方向（ネジ穴２１ｆに対して垂直）に引かれることで、ネジ３１の中心軸がネジ穴２１ｆの中心軸に一致し、その先端側ネジ部３１ａがネジ穴２１ｆに嵌入される。カバー２２の前面２２ａのブラケットのＸＺ面からの離間距離Ｌ１の最大値が、ネジ穴２１ｆに入れられたネジ３１の基端側ネジ部３１ｃ及び溝部３１ｂの長さの和（Ａ）より大きい場合、そのネジ３１（またはネジ穴２１ｆ）に（点Ｉが点Ｇがぶつからなくても、一度先端側ネジ部３１ａがネジ穴２１ｆに嵌入された状態で）継続的に振動を与えることにより、先端側ネジ部３１ａがネジ穴２１ｆを通り抜ける、すなわちネジ３１の全体がネジ穴２１ｆから引き抜かれる、可能性がある。
【００４７】
ネジ穴２１ｆに入れられたネジ３１の基端側ネジ部３１ｃがネジ穴２１ｆから引き抜かれても、先端側ネジ部３１ａまで引き抜かれないようにすれば、ネジ３１はネジ穴２１ｆから外れず、カバー２２が本体２１から落下することもない。そこで、本実施形態の化粧カバー２０では、カバー２２の前面２２ａのブラケットのＸＺ面からの離間距離Ｌ１の最大値Ｅ＋Ｈ’＋Ｆｔａｎθが、ネジ穴２１ｆに入れられたネジ３１の基端側ネジ部３１ｃ及び溝部３１ｂの長さの和Ａより小さくなるように、ネジ穴２１ｆの（ブラケット２１ｅの表面上での）ＸＺ面とＸＹ面との接続点からの離間距離Ｆを定める。この構成により、振動によってネジ３１の頭部が−Ｙ方向に引かれても、カバー２２がＬ１を超えてブラケットのＸＺ面から離間しないため、先端側ネジ部３１ａ、すなわちネジ３１の全体がネジ穴２１ｆから引き抜かれることはない。
【００４８】
同様に、カバー２２の上面２２ｂのブラケットのＸＹ面からのＺ方向の離間距離の最大値Ｌ２＝Ｅ’＋Ｈ＋Ｆ’ｔａｎθ’について、Ｌ２＜Ａ’となるように、ネジ穴２１ｇの（ブラケット２１ｅの表面上での）ＸＺ面とＸＹ面との接続点からの離間距離Ｆ’を定める。これにより、２本のネジはいずれも、全体がネジ穴から引き抜かれることが、他方のネジによって防止される。ここで、Ｌ２、Ｅ’、Ａ’及びθ’は図３に示されていないが、それぞれ、図３では下方のネジ３１について示した離間距離Ｌ１、ずれ量Ｅ、ネジ部及び溝部の長さの和Ａ及び傾斜の角度θを、上方のネジ３１について求めた値である。
【００４９】
なお、本実施形態では、ブラケット２１ｅにおけるネジ穴２１ｆ，２１ｇのＸ軸方向に関する配設位置は等しいとしたが、異なる場合においても、同様に、２つのネジ穴２１ｆ，２１ｇの離間距離を定めればよい。ただし、離間距離は、ブラケット２１ｅに対してカバー２２が傾斜可能な面内（傾斜の基準軸に直交する面内）で定義することとする。
【００５０】
以上詳細に説明したように、本発明に係る固定構造３０を利用して、すなわち先端側ネジ部３１ａと基端側ネジ部３１ｃとの間にネジ穴より径が小さく、その深さよりも長い溝部３１ｂが形成された軸部を有するネジ３１を用いてカバー２２を本体２１に固定する。ネジ穴２１ｇに入れられたネジ３１を軸にカバー２２がブラケット２１ｅ（本体２１）に対して傾斜しても、カバー２２の前面２２ａの開口２２ｆ近傍はネジ穴２１ｆからその中心軸に平行な方向（−Ｙ方向）に距離Ａ以上離間することはないため、ネジ穴２１ｆに入れられたネジ３１の先端側ネジ部３１ａがネジ穴２１ｆに入り、引き抜かれることはない。従って、カバー２２は、常時、ネジ３１に掛止され、ケーシング（本体）から落下することなく、安全に使用することが可能となる。
【００５１】
給湯装置本体を箱体に近接させた配置の給湯装置において、給湯装置本体１０と箱体との間にはネジ３１の頭部を配するだけの距離を有さない場合もある。かかる場合であっても、本発明に係る固定構造３０を利用することが可能である。図４（Ａ）に示すように、給湯装置本体は正面視が厳密な長方形でなく、端部が切り欠かれた形状である。図４（Ｂ）に端部の拡大図を与える。切り欠かれた部分には空隙があり、そこにネジ３１の頭部を配することができる。また、この配置では、ＸＹ面とＹＺ面とにネジ穴を設けることもできる。図３に対してＦ’がＸ方向の距離となるようにするものであるが、Ｅ’＋Ｈ＋Ｆ’ｔａｎθ’＜Ａ’となるように小さなＦ’とすることができる。
【００５２】
なお、本実施形態の給湯装置１の化粧カバー２０では、ブラケット２１ｅが有する２つの面（ＸＺ面及びＸＹ面）のそれぞれにネジ穴２１ｆ，２１ｇを設け、カバー２２の前面２２ａと上面２２ｂの２面をネジ３１を用いてブラケット２１ｅに固定することとした。これに代えて、ブラケット２１ｅを３つの面（ＸＺ面、ＸＹ面、及びＹＺ面）から構成し、それぞれにネジ穴を設け、カバー２２の３面をネジ３１を用いてブラケット２１ｅに固定することとしてもよい。
【００５３】
また、本実施形態の給湯装置１の化粧カバー２０では、固定構造３０を構成する２つのブラケット２１ｅを採用したが、必要とする取り付け強度に応じてブラケット２１ｅの数を適当に定めることとする。
【００５４】
また、本実施形態の給湯装置１の化粧カバー２０は、本体２１の前面すべてが開いて構成され、この前面を同形状のカバー２２を用いて覆う構成を採用したが、これに限らず、本体２１に前面を設け、その一部に設けられた開口をその開口と同形状又はそれより大きい形状のカバーを用いて覆う構成を採用しても良い。また、前面ではなく側面、後面、或いは下面が開いて構成され、その一面をカバー２２を用いて覆う構成を採用してもよい。
さらに、２面を固定するネジ３１は同じものを用いなくてもよい。
【００５５】
また、本実施形態の固定構造３０は、給湯装置１の化粧カバー２０においてのみ利用可能なものではなく、被固定物を固定対象に固定するあらゆるものに利用することができる。
【産業上の利用可能性】
【００５６】
本発明の固定構造は、被固定物を固定対象に固定するのに好適である。また、本発明の給湯装置は、給湯装置本体から延設される配管を隠す化粧カバーが落下することなく、且つ容易に取り外すことができ、安全に使用する上で好適である。
【符号の説明】
【００５７】
１…給湯装置
１０…給湯装置本体
１１…筐体
１３…固定具
１５…配管類
２０…化粧カバー
２１…ケーシング（本体）
２１ａ，２１ｃ，２１ｇ…梁
２１ｄ…側面
２１ｅ…ブラケット
２１ｆ，２１ｇ…ネジ穴
２２（２２ａ，２２ｂ，２２ｃ，２２ｄ）…カバー（前面、上面、下面、側面・フランジ）
２２ｆ，２２ｇ…開口
２３…脚部
３０…固定構造
３１（３１ａ，３１ｂ，３１ｃ）…ネジ（先端側ネジ部、溝部、基端側ネジ部）
【図１】
2015075123.tif 000003
【図２】
2015075123.tif 000004
【図３】
2015075123.tif 000005
【図４】
2015075123.tif 000006